(57)【特許請求の範囲】
【請求項１】
ルアーコネクタ（３０）と接続可能に構成され、当該ルアーコネクタ（３０）の接続口（３２）を栓止するためのロックキャップ（５０）と、
瘡蓋剥離具（１００）とを備える、瘡蓋剥離ユニット（４０）であって、
前記ロックキャップ（５０）の非接続面（５６）には、所定深さの凹部（６０）が形成されており、
前記非接続面（５６）は、前記ルアーコネクタ（３０）と接続する側とは反対の面であって、前記ルアーコネクタ（３０）とは接続されない面であり、
前記瘡蓋剥離具（１００）は、
把持部（１１０）と、
前記把持部（１１０）から一方向に突出し、所定形状からなる尖端（１２２）を有する剥離部（１２０）と、
前記剥離部（１２０）を囲むように配置された嵌合部（１３０）と、
前記把持部（１１０）と前記嵌合部（１３０）との間に配置された鍔部（１５０）とを備え、
前記嵌合部（１３０）は、前記ロックキャップ（５０）の前記凹部（６０）と嵌合可能に構成されており、
前記鍔部（１５０）は、
板状部材であって、前記把持部（１１０）側に位置する第一面（１５１）と、前記剥離部（１２０）及び前記嵌合部（１３０）側に位置する第二面（１５２）とを有し、かつ、
前記凹部（６０）に前記剥離部（１２０）を挿入したときに、当該鍔部（１５０）が前記非接続面（５６）と突き当たるように設けられており、
前記鍔部（１５０）には、嵌合時において前記嵌合部（１３０）と前記凹部（６０）とによって形成される空間を非密閉状態とすることが可能となるように、前記第一面（１５１）と前記第二面（１５２）を貫通する貫通孔（１６０，１６２）が形成されている瘡蓋剥離ユニット（４０）。
【請求項２】
請求項１に記載の瘡蓋剥離ユニット（４０）を備える医療用具（１）。
【発明の詳細な説明】
【技術分野】
【０００１】
本発明は、瘡蓋剥離具、瘡蓋剥離ユニット及び医療用具に関する。
【背景技術】
【０００２】
血液透析患者の血管に透析針を穿刺する方法の１つとして、ボタンホール穿刺法が知られている。ボタンホール穿刺法とは、患者の皮膚表面にボタンホールと呼ばれる穿刺部位を設け、そのボタンホールを介して血管に針を穿刺する方法である。通常、ボタンホールは瘡蓋で覆われており、血液透析を行う際にその瘡蓋を剥がして透析針を穿刺している。
【０００３】
ボタンホールに形成された瘡蓋を剥がすための瘡蓋剥離具として、従来、筒状体の内面に螺合部が設けられた瘡蓋剥離具が知られている（例えば、特許文献１参照。）。螺合部は、血液回路等を構成するチューブに接続されたルアーコネクタと螺合可能に構成されており、ルアーコネクタの接続口を封止するロックキャップとして使用することができる。
【先行技術文献】
【特許文献】
【０００４】
【特許文献１】実用新案登録第３１４３６２０号公報
【発明の概要】
【発明が解決しようとする課題】
【０００５】
ところで、従来の瘡蓋剥離具においては、瘡蓋を剥がすためにルアーコネクタから瘡蓋剥離具を取り外すと、ルアーコネクタの接続口が露出した状態となってしまう。瘡蓋を剥がす作業を実際に行う場面を想定すると、例えば、ルアーコネクタから瘡蓋剥離具を取り外したのちルアーコネクタを机上等にそのまま置くケースや、瘡蓋剥離具を操作しない方の手でルアーコネクタを持ち続けるケースが考えられる。前者のケースでは、露出状態のルアーコネクタの接続口が机等に直接接触してしまう可能性があることから、清潔性の点で好ましくない。一方、後者のケースでは、片方の手にルアーコネクタを持ち続けたまま瘡蓋剥離具を操作しなければならず、作業性に難がある。
【０００６】
そこで、本発明は、このような問題を解決するためになされたもので、瘡蓋を剥がす作業を行う際にルアーコネクタの清潔性を損なうことなく、かつ、作業性に優れた瘡蓋剥離具及び瘡蓋剥離ユニットを提供することを目的とする。また、そのように優れた瘡蓋剥離ユニットを備える医療用具を提供することを目的とする。
【課題を解決するための手段】
【０００７】
本発明の発明者らは、上記目的を達成するため、市販されているロックキャップの構造を調査したところ、市販のロックキャップの多くには、非接続面（ルアーコネクタと接続する側とは反対の面）に所定深さの凹部が形成されているという知見を得た。本発明者らは当該知見に基づいて鋭意研究を重ねた結果、ロックキャップの凹部に瘡蓋剥離具を嵌合させる構成とすれば、従来の瘡蓋剥離具が抱える課題を解決できることに想到し、本発明を完成させるに至った。
【０００８】
本発明の瘡蓋剥離具（１００）は、把持部（１１０）と、前記把持部（１１０）から一方向に突出し、所定形状からなる尖端（１２２）を有する剥離部（１２０）と、前記剥離部（１２０）を囲むように配置された嵌合部（１３０）とを備え、前記嵌合部（１３０）は、ロックキャップ（５０）の非接続面（５６）に設けられた凹部（６０）と嵌合可能に構成されている。
【０００９】
本発明の瘡蓋剥離具（１００）においては、前記剥離部（１２０）の突出高さ（ｂ３）は、前記凹部（６０）の深さ（ａ３）と同じかそれよりも小さい値に設定されていることが好ましい。
【００１０】
本発明の瘡蓋剥離具（１００）においては、前記嵌合部（１３０）の形状は、前記剥離部（１２０）の突出方向と同一の方向に向かって立設する薄板状であり、前記嵌合部（１３０）には、前記剥離部（１２０）の突出方向と同一の方向に向けて伸びる、少なくとも１つのスリット（１４０）が形成されていることが好ましい。
【００１１】
本発明の瘡蓋剥離具（１００）においては、前記スリットとして、複数のスリット（１４０）が配置されており、当該複数のスリット（１４０）は、隣り合う前記スリット同士の間隔が等しくなるように配置されていることがさらに好ましい。
【００１２】
本発明の瘡蓋剥離具においては、前記嵌合部（１３０）は、少なくとも前記尖端（１２２）側の端部を含む領域に配置されたテーパ部（１３４）を有し、前記テーパ部（１３４）の外面は、前記尖端（１２２）側に向かうにしたがって内面側に傾斜したテーパ形状であることが好ましい。
【００１３】
本発明の瘡蓋剥離具（１００）においては、前記嵌合部（１３０）は、前記把持部（１１０）側であって前記テーパ部（１３４）を除いた位置に配置された平面部（１３６）をさらに有し、前記平面部（１３６）の外面は、前記剥離部（１２０）の突出方向と平行な関係にあることがさらに好ましい。
【００１４】
本発明の瘡蓋剥離具（１００）においては、前記把持部（１１０）と前記嵌合部（１３０）との間に配置された鍔部（１５０）をさらに備えることが好ましい。
【００１５】
本発明の瘡蓋剥離具（１００）においては、前記鍔部（１５０）には貫通孔（１６０，１６２）が形成されており、前記貫通孔（１６０，１６２）の一方の孔位置は、前記鍔部（１５０）における前記嵌合部（１３０）側の面のうち、前記剥離部（１２０）と前記嵌合部（１３０）との間にあり、前記貫通孔（１６０，１６２）の他方の孔位置は、前記鍔部（１５０）における前記把持部（１１０）側の面又は前記把持部（１１０）にあることが好ましい。
【００１６】
本発明の瘡蓋剥離具（３００）においては、前記嵌合部（１３０）における前記鍔部（３５０）との境界部分には、貫通孔が形成されており、前記鍔部（３５０）には所定高さの突起（３６０）が設けられていることも好ましい。
【００１７】
本発明の瘡蓋剥離具（４００）においては、前記嵌合部（１３０）における前記鍔部（４５０）との境界部分には、貫通孔が形成されており、前記鍔部（４５０）における前記嵌合部（１３０）側の面（４５２）には、前記貫通孔の位置から前記鍔部（４５０）の外側端面まで繋がる溝（４６０）が設けられていることも好ましい。
【００１８】
本発明の瘡蓋剥離具（１００）においては、プラスチック材料からなることが好ましい。
【００１９】
本発明の瘡蓋剥離ユニット（４０）は、ルアーコネクタ（３０）と接続可能に構成されたロックキャップ（５０）と、本発明の瘡蓋剥離具（１００）とを備え、前記ロックキャップ（５０）の非接続面（５６）には、所定深さの凹部（６０）が形成されている。
【００２０】
本発明の医療用具（１）は、本発明の瘡蓋剥離ユニット（４０）を備える。
【００２１】
なお、特許請求の範囲及び本欄（課題を解決するための手段の欄）に記載した各部材等の文言下に括弧をもって付加された符号は、特許請求の範囲及び本欄に記載された内容の理解を容易にするために用いられたものであって、特許請求の範囲及び本欄に記載された内容を限定するものではない。
【発明の効果】
【００２２】
本発明の瘡蓋剥離具によれば、ロックキャップの非接続面に設けられた凹部と嵌合可能に構成された嵌合部を備えているため、ルアーコネクタに螺合接続されたロックキャップの凹部に、本発明の瘡蓋剥離具を予め嵌合させておくことが可能となる。本発明の瘡蓋剥離具を使用する際は、本発明の瘡蓋剥離具とロックキャップとの嵌合状態を解除するだけで済み、ルアーコネクタとロックキャップとの接続状態を解除しなくてもよいことから、ルアーコネクタの接続口を露出させたままの状態とせずに瘡蓋剥離具を使用することができるようになる。その結果、例えば、本発明の瘡蓋剥離具を取り外した状態でルアーコネクタを机上等に置いたとしても、ルアーコネクタの接続口はロックキャップによって封止されているため、ルアーコネクタの清潔性が損なわれることがない。また、瘡蓋を剥がす際に、片手でルアーコネクタを持ち続ける必要もなく、円滑に作業を行うことが可能となる。
【図面の簡単な説明】
【００２３】
【図１】図１は第１実施形態に係る瘡蓋剥離具１００の正面図である。
【図２】図２は第１実施形態に係る瘡蓋剥離具１００の平面図である。
【図３】図３は第１実施形態に係る瘡蓋剥離具１００の左側面図である。
【図４】図４は第１実施形態に係る瘡蓋剥離具１００の右側面図である。
【図５】図５は図４のＡ−Ａ線断面図である。
【図６】図６は第１実施形態に係る医療用具１の概略図である。
【図７】図７はロックキャップ５０を説明するために示す図である。図７（ａ）はロックキャップ５０の外観図であり、図７（ｂ）は図７（ａ）のＢ−Ｂ線断面図である。
【図８】図８は第１実施形態に係る瘡蓋剥離ユニット４０を説明するために示す図である。図８（ａ）はロックキャップ５０から瘡蓋剥離具１００を外した状態を示す図であり、図８（ｂ）はロックキャップ５０に瘡蓋剥離具１００を嵌めた状態を示す図である。
【図９】図９は、第２実施形態に係る瘡蓋剥離具２００の正面図である。
【図１０】図１０は、第２実施形態に係る瘡蓋剥離具２００の上面図である。
【図１１】図１１は、第３実施形態に係る瘡蓋剥離具３００の正面図である。
【図１２】図１２は、第３実施形態に係る瘡蓋剥離具３００の左側面図である。
【図１３】図１３は、第３実施形態に係る瘡蓋剥離具３００を説明するために示す図である。図１３（ａ）はロックキャップ５０に瘡蓋剥離具３００を嵌めた状態を示す図であり、図１３（ｂ）は図１３（ａ）のＣ−Ｃ線断面図である。
【図１４】図１４は、第４実施形態に係る瘡蓋剥離具４００の正面図である。
【図１５】図１５は、第４実施形態に係る瘡蓋剥離具４００の左側面図である。
【図１６】図１６は、図１５のＤ−Ｄ線断面図である。
【図１７】図１７は、ロックキャップ５０に瘡蓋剥離具４００を嵌めた状態を示す断面図である。
【発明を実施するための形態】
【００２４】
以下、本発明の瘡蓋剥離具、瘡蓋剥離ユニット及び医療用具について、図に示す実施の形態に基づいて説明する。
【００２５】
［第１実施形態］
まず、第１実施形態に係る瘡蓋剥離具１００の構成について、図１〜図５を用いて説明する。
図１は、第１実施形態に係る瘡蓋剥離具１００の正面図である。図２は、第１実施形態に係る瘡蓋剥離具１００の上面図である。図３は、第１実施形態に係る瘡蓋剥離具１００の左側面図である。図４は、第１実施形態に係る瘡蓋剥離具１００の右側面図である。図５は、図４のＡ−Ａ線断面図である。
【００２６】
瘡蓋剥離具１００は、例えば血液透析等を行うにあたって患者の皮膚表面に形成されたボタンホールに対し、当該ボタンホールを覆う瘡蓋を剥がすために用いる器具である。
【００２７】
瘡蓋剥離具１００は、把持部１１０と、把持部１１０から一方向（図１の図面左方向）に突出する剥離部１２０と、剥離部１２０を囲むように配置された嵌合部１３０と、把持部１１０と嵌合部１３０との間に配置された鍔部１５０とを備える。
【００２８】
把持部１１０の上面１１１及び下面１１２は、図４に示すように、中央部分の厚みが薄くなるように湾曲している。
【００２９】
把持部１１０の上面１１１には、図２に示すように、平面視矢印形状の識別部１１４が設けられている。識別部１１４は、図４及び図５からも明らかなように、把持部１１０の上面１１１に対して盛り上がっている。
【００３０】
剥離部１２０は、図１及び図２に示すように、所定形状からなる尖端１２２と、傾斜面１２４とを有する。尖端１２２の断面形状は、図５に示すように、略三角形である。傾斜面１２４は、識別部１１４が設けられている面と同じ側（すなわち上面側）に配置されている。
【００３１】
嵌合部１３０は、剥離部１２０の突出方向と同一の方向に向かって立設する４つの立設部１３２を有する。図３に示すように、４つの立設部１３２は薄板状である。４つの立設部１３２は、剥離部１２０と離間した位置であって剥離部１２０を中心とする同一円周上に配置されている。
【００３２】
隣り合う立設部１３２の間にはそれぞれ、スリット１４０が形成されている。各スリット１４０は、隣り合うスリット１４０同士の間隔が等しくなるように配置されている。すなわち、図３に示す方向から瘡蓋剥離具１００を見たときに、剥離部１２０を中心に９０度の配置間隔で各スリット１４０が配置されている。スリット１４０は、図１及び図２に示すように、剥離部１２０の突出方向と同一方向に伸びている。
【００３３】
立設部１３２は、図１及び図２に示すように、剥離部１２０の尖端１２２側の端部を含む領域に配置されたテーパ部１３４と、テーパ部１３４に隣接する平面部１３６とを有する。テーパ部１３４の外面は、尖端１２２側に向かうにしたがって内面側（剥離部１２０側）に傾斜したテーパ形状である。平面部１３６は、立設部１３２における把持部１１０側であってテーパ部１３４を除いた位置に配置されている。平面部１３６の外面は、剥離部１２０の突出方向（剥離部１２０の中心軸）と平行な関係にある。
【００３４】
鍔部１５０は、図３及び図４に示すように、例えば正円の板状部材である。図１及び図２からも明らかなように、鍔部１５０の第一面１５１側に把持部１１０が位置しており、鍔部１５０の第二面１５２側に剥離部１２０及び嵌合部１３０が位置している。
【００３５】
鍔部１５０には、図３に示すように、剥離部１２０の上下の位置に貫通孔１６０，１６２が形成されている。貫通孔１６０，１６２における第一面１５１側の孔位置は、図４に示すように、把持部１１０の若干上方又は下方であって把持部１１０を回避した位置に存在する。一方、貫通孔１６０，１６２における第二面１５２側の孔位置は、図３に示すように、剥離部１２０と嵌合部１３０（立設部１３２）との間の位置に存在する。貫通孔１６０，１６２の形状（図３に示す方向から見たときの孔形状）は、例えば円形である。
【００３６】
瘡蓋剥離具１００を構成する各部材は、金型により一体成形されている。瘡蓋剥離具１００を構成する材料としては、例えばポリ塩化ビニル、ポリカーボネートなどのプラスチック材料を好適に用いることができる。第１実施形態に係る瘡蓋剥離具１００においては、例えばポリ塩化ビニルを材料として用いている。
【００３７】
次に、第１実施形態に係る医療用具１及び瘡蓋剥離ユニット４０の構成について、図６〜図８を用いて説明する。
図６は、第１実施形態に係る医療用具１の概略図である。図７は、ロックキャップ５０を説明するために示す図である。図７（ａ）はロックキャップ５０の外観図であり、図７（ｂ）は図７（ａ）のＢ−Ｂ線断面図である。図８は、第１実施形態に係る瘡蓋剥離ユニット４０を説明するために示す図である。図８（ａ）はロックキャップ５０から瘡蓋剥離具１００を外した状態を示す図であり、図８（ｂ）はロックキャップ５０に瘡蓋剥離具１００を嵌めた状態を示す図である。なお、図８（ａ）及び図８（ｂ）においては、発明の理解を容易にするため、ロックキャップ５０及び瘡蓋剥離具１００をそれぞれ断面図で示している。
【００３８】
医療用具１は、図６に示すように、チューブ１０と、チューブ１０の一方端部に接続された透析針２０と、チューブ１０の他方端部に接続されたルアーコネクタ３０と、ルアーコネクタ３０に接続可能に構成された瘡蓋剥離ユニット４０とを備える。医療用具１は、例えば血液透析を行う際に用いる、ルアーコネクタ付き透析針セットである。
【００３９】
透析針２０の針管には、針キャップ２２が取り付けられている。ルアーコネクタ３０は、いわゆるメスルアーコネクタであり、開口した接続口３２と、接続口３２の外周部に設けられた被螺合部３４とを有する。被螺合部３４は、螺旋状の突起からなる。
【００４０】
瘡蓋剥離ユニット４０は、ルアーコネクタ３０と接続可能に構成されたロックキャップ５０と、上記した瘡蓋剥離具１００とを備える。
【００４１】
ロックキャップ５０は、略円筒形の部材である。ロックキャップ５０は、図７（ａ）及び図７（ｂ）に示すように、内面に設けられた螺合部５２と、ロックキャップ５０の側面に設けられたリブ５４と、ロックキャップ５０の非接続面５６に形成された凹部６０とを有する。
【００４２】
なお、「ロックキャップ５０の非接続面５６」とは、ロックキャップ５０に瘡蓋剥離具１００を嵌め合わせたときに瘡蓋剥離具１００と対向する側の面であって、そのうち凹部６０が形成された部分を除いた部分を指す。
【００４３】
螺合部５２は、ルアーコネクタ３０の被螺合部３４に対応した螺旋状の突起からなる。ロックキャップ５０の螺合部５２をルアーコネクタ３０の被螺合部３４に螺合させることにより、ルアーコネクタ３０の接続口３２をロックキャップ５０によって栓止することができる。
【００４４】
凹部６０は、図８（ａ）に示すように、それぞれ孔径の異なる３つの層（第一層６１〜第三層６３）から構成されている。表層側に位置する第一層６１は、瘡蓋剥離具１００の嵌合部１３０に対応する広さの空間を有する。すなわち、第一層６１の内径ａ１は、嵌合部１３０の外径ｂ１（嵌合部１３０のうち平面部１３６の部分の外径）と略同一であり、第一層６１の深さａ２は、嵌合部１３０の突出高さｂ２（嵌合部１３０のテーパ部１３４側端から鍔部１５０までの距離）と略同一である。第二層６２の内径は第一層６１の内径よりも小さい値に設定されており、第三層６３の内径は第二層６２の内径よりもさらに小さい値に設定されている。「凹部６０の深さ」とは、凹部６０の表面位置（非接続面５６と同一の平面位置）から底面位置までの距離のことであり、第一層６１から第三層６３までの深さの和で表すことができる。凹部６０の深さａ３は、剥離部１２０の突出高さｂ３（剥離部１２０の尖端１２２から鍔部１５０までの距離）よりも大きい値に設定されている。このように構成された凹部６０は、図８（ｂ）から明らかなように、瘡蓋剥離部１００の嵌合部１３０と嵌合可能である。
【００４５】
以上のように構成された第１実施形態に係る瘡蓋剥離具１００によれば、ロックキャップ５０の凹部６０と嵌合可能に構成された嵌合部１３０を備えているため、ルアーコネクタ３０に螺合接続されたロックキャップ５０の凹部６０に、瘡蓋剥離具１００を予め嵌合させておくことが可能となる。瘡蓋剥離具１００を使用する際は、瘡蓋剥離具１００とロックキャップ５０との嵌合状態を解除するだけで済み、ルアーコネクタ３０とロックキャップ５０との接続状態を解除しなくてもよいことから、ルアーコネクタ３０の接続口３２を露出させたままの状態とせずに瘡蓋剥離具１００を使用することができるようになる。その結果、例えば、瘡蓋剥離具１００を取り外した状態でルアーコネクタ３０を机上等に置いたとしても、ルアーコネクタ３０の接続口３２はロックキャップ５０によって封止されているため、ルアーコネクタ３０の清潔性が損なわれることがない。また、瘡蓋を剥がす際に、片手でルアーコネクタ３０を持ち続ける必要もなく、円滑に作業を行うことが可能となる。
【００４６】
したがって、第１実施形態に係る瘡蓋剥離具１００は、瘡蓋を剥がす作業を行う際にルアーコネクタの清潔性を損なうことなく、かつ、作業性に優れた瘡蓋剥離具となる。
【００４７】
また、第１実施形態に係る瘡蓋剥離具１００によれば、剥離部１２０を囲むように嵌合部１３０が立設されているとともに、剥離部１２０の突出高さｂ３がロックキャップ５０の凹部６０の深さａ３よりも小さい値に設定されているため、瘡蓋剥離具１００をロックキャップ５０の凹部６０に嵌合させると、嵌合部１３０と凹部６０とによって形成される空間内に剥離部１２０が配置することとなり（図８（ｂ）参照。）、剥離部１２０の尖端１２２が外部に露出することもない。その結果、瘡蓋剥離具１００をロックキャップ５０から取り外す前の状態において、剥離部１２０の尖端１２２を清潔に保つことが可能となる。
【００４８】
第１実施形態に係る瘡蓋剥離具１００においては、嵌合部１３０（立設部１３２）の形状は、剥離部１２０の突出方向と同一の方向に向かって立設する薄板状である。また、嵌合部１３０には、剥離部１２０の突出方向と同一の方向に向けて伸びるスリット１４０が形成されている。これにより、ロックキャップ５０に瘡蓋剥離具１００を嵌合させたときに嵌合部１３０が若干内側（剥離部１２０側）に撓むこととなるため、ロックキャップ５０に瘡蓋剥離具１００を比較的スムーズに嵌め込むことが可能となる。
【００４９】
第１実施形態に係る瘡蓋剥離具１００においては、スリットとして、４つのスリット１４０が配置されており、４つのスリット１４０は、隣り合うスリット同士の間隔が等しくなるように配置されている。これにより、ロックキャップ５０に瘡蓋剥離具１００を嵌合させたときに嵌合部１３０がバランス良く撓むこととなり、ロックキャップ５０に瘡蓋剥離具１００をより一層スムーズに嵌め込むことが可能となる。
【００５０】
第１実施形態に係る瘡蓋剥離具１００においては、嵌合部１３０は上記したテーパ部１３４を有し、テーパ部１３４の外面は、尖端１２２側に向かうにしたがって内面側に傾斜したテーパ形状である。これにより、ロックキャップ５０に瘡蓋剥離具１００を比較的スムーズに嵌め込むことが可能となる。
【００５１】
第１実施形態に係る瘡蓋剥離具１００においては、嵌合部１３０は上記した平面部１３６をさらに有し、平面部１３６の外面は、剥離部１２０の突出方向と平行な関係にある。これにより、嵌合時における凹部６０と嵌合部１３０との接触面積を比較的広くすることができ、結果として、ロックキャップ５０に瘡蓋剥離具１００を嵌合させたときの望ましくない外れ（ロックキャップ５０から瘡蓋剥離具１００が抜けてしまうこと）の発生を抑制することが可能となる。
【００５２】
第１実施形態に係る瘡蓋剥離具１００においては、把持部１１０と嵌合部１３０との間に配置された鍔部１５０をさらに備えるため、ロックキャップ５０の凹部６０に対して望ましい深さまで剥離部１２０を挿入したときに、ロックキャップ５０の非接続面５６が鍔部１５０に突き当たるよう、剥離部１２０の突出高さｂ３を設計することが可能となる。その結果、嵌合時において剥離部１２０の尖端１２２を不用意に傷めることなく、凹部６０の適切な深さまで剥離部１２０を挿入することが可能となる。
【００５３】
ところで、ロックキャップ５０の凹部６０に瘡蓋剥離具１００の嵌合部１３０を嵌めた際、仮に嵌合部１３０と凹部６０とによって形成される空間が密閉状態であると、例えば製造工程時や製品輸送時において外部環境の変化による急激な温度変化に起因して、その密閉空間内に閉じ込められた空気が膨張又は収縮し、ロックキャップから瘡蓋剥離具が外れてしまったり、使用時にロックキャップから瘡蓋剥離具を外しにくくなったりケースが考えられる。すなわち、嵌合部と凹部とによって形成される空間が密閉状態であると、ロックキャップと瘡蓋剥離具との嵌合状態を望ましい状態に維持し続けることが容易ではない。
これに対し、第１実施形態に係る瘡蓋剥離具１００によれば、上記した貫通孔１６０，１６２が形成されているため、図８（ｂ）から明らかなように、嵌合時において嵌合部１３０と凹部６０とによって形成される空間を非密閉状態とすることが可能となる。その結果、ロックキャップ５０と瘡蓋剥離具１００との嵌合状態を望ましい状態に維持し続けることが容易となる。
【００５４】
第１実施形態に係る瘡蓋剥離具１００においては、全体がプラスチック材料からなる。プラスチック材料からなる瘡蓋剥離具１００は、金属材料からなる瘡蓋剥離具に比べて剛性が低く適度に撓むことから、ロックキャップ５０に対する瘡蓋剥離具１００のスムーズな嵌め込み及び取り外しを比較的高いレベルで実現することが可能となる。
【００５５】
第１実施形態に係る瘡蓋剥離具１００においては、図４に示すように、把持部１１０の上面１１１及び下面１１２が、中央部分の厚みが薄くなるように湾曲した形状からなる。瘡蓋剥離具１００を使用する際、作業者は瘡蓋剥離具１００の把持部１１０を指で摘まむこととなるが、指の腹部分の盛り上がり具合と把持部１１０の湾曲具合とが適度にフィットするため、作業者に与える使用感を向上することが可能となる。
【００５６】
第１実施形態に係る瘡蓋剥離具１００においては、把持部１１０に識別部１１４が設けられているため、作業者が把持部１１０を指で摘まむことにより、上下（又は左右）どちらに識別部１１４があるかを容易に認識することが可能となる。また、識別部１１４が設けられた面と同じ側に剥離部１２０の傾斜面１２４が位置しているため、識別部１１４の位置から剥離部１２０の傾斜面１２４の向きを認識することができる。つまり、作業者が把持部１１０を指で摘まむだけで、剥離部１２０の傾斜面１２４の向きを容易に認識することが可能となる。
【００５７】
第１実施形態に係る瘡蓋剥離ユニット４０は、上記したロックキャップ５０及び瘡蓋剥離具１００を備えているため、瘡蓋を剥がす作業を行う際にルアーコネクタの清潔性を損なうことなく、かつ、作業性に優れた瘡蓋剥離ユニットとなる。
【００５８】
第１実施形態に係る医療用具１によれば、上述した優れた瘡蓋剥離ユニット４０を備えているため、瘡蓋を剥がす作業を行う際の清潔性に優れ、かつ、作業性に優れた製品となる。
【００５９】
［第２実施形態］
図９は、第２実施形態に係る瘡蓋剥離具２００の正面図である。図１０は、第２実施形態に係る瘡蓋剥離具２００の上面図である。
なお、図９及び図１０において、図１及び図２と同一の部材については同一の符号を付し、詳細な説明は省略する。
【００６０】
第２実施形態に係る瘡蓋剥離具２００は、基本的には第１実施形態に係る瘡蓋剥離具１００と同様の構成を有するが、スリットの長さが、第１実施形態に係る瘡蓋剥離具１００とは異なる。
【００６１】
すなわち、第２実施形態に係る瘡蓋剥離具２００においては、図９及び図１０に示すように、スリット２４０の長さが、第１実施形態で説明した瘡蓋剥離具１００のスリット１４０に比べて短い。具体的に説明すると、第１実施形態で説明した瘡蓋剥離具１００のスリット１４０は、図１及び図２に示すように、テーパ部１３４の端縁から鍔部１５０の第二面１５２まで伸びているのに対し、第２実施形態に係る瘡蓋剥離具２００のスリット２４０は、図９及び図１０に示すように、テーパ部２３４の端縁から平面部２３６の略中間位置までの長さに設定されている。スリット２４０の長さが短いことにともない、嵌合部２３０を構成する４つの立設部２３２のそれぞれについて、隣り合う立設部２３２同士が鍔部１５０側の位置（平面部２３６の一部）で繋がっている。
【００６２】
なお、スリット２４０の長さ以外の点（隣り合うスリット同士の配置間隔、スリットの突出方向）については、第１実施形態で説明したスリット１４０と同様であるため、詳細な説明は省略する。
【００６３】
また、嵌合部２３０を構成する他の部分（立設部２３２、テーパ部２３４及び平面部２３６）については、第１実施形態で説明した嵌合部１３０の対応する部分と同様であるため、詳細な説明は省略する。
【００６４】
このように、第２実施形態に係る瘡蓋剥離具２００は、第１実施形態に係る瘡蓋剥離具１００とはスリットの長さが異なるが、第１実施形態に係る瘡蓋剥離具１００の場合と同様に、ロックキャップ５０の凹部６０と嵌合可能に構成された嵌合部２３０を備えているため、第１実施形態で説明した理由と同様の理由により、瘡蓋を剥がす作業を行う際にルアーコネクタの清潔性を損なうことなく、かつ、作業性に優れた瘡蓋剥離具となる。
【００６５】
第２実施形態に係る瘡蓋剥離具２００においては、嵌合部２３０を構成する４つの立設部２３２のそれぞれについて、隣り合う立設部２３２同士が鍔部１５０側の位置（平面部２３６の一部）で繋がっている。ロックキャップに瘡蓋剥離具を嵌合させたときの、嵌合部の撓み量（剥離部側に撓んだときの立設部の撓みの程度）は、テーパ部の端縁からスリットの切れ込み位置までの距離によって変化することからすれば、第２実施形態に係る瘡蓋剥離具２００は、第１実施形態に係る瘡蓋剥離具１００に比べて、嵌合部の撓み量を大きくし過ぎない構成であるといえる。つまり、嵌合部の撓み量を大きくし過ぎなくてもよいロックキャップに対して瘡蓋剥離具を嵌合させたい場合に、第２実施形態に係る瘡蓋剥離具２００は好適なものとなる。
【００６６】
第２実施形態に係る瘡蓋剥離具２００は、スリットの長さが異なる点以外では、第１実施形態に係る瘡蓋剥離具１００と同様の構成を有するため、第１実施形態に係る瘡蓋剥離具１００が有する効果のうち該当する効果をそのまま有する。
【００６７】
［第３実施形態］
図１１は、第３実施形態に係る瘡蓋剥離具３００の正面図である。図１２は、第３実施形態に係る瘡蓋剥離具３００の左側面図である。図１３は、第３実施形態に係る瘡蓋剥離具３００を説明するために示す図である。図１３（ａ）はロックキャップ５０に瘡蓋剥離具３００を嵌めた状態を示す図であり、図１３（ｂ）は図１３（ａ）のＣ−Ｃ線断面図である。
なお、図１１〜図１３において、図１〜図８と同一の部材については同一の符号を付し、詳細な説明は省略する。
【００６８】
第３実施形態に係る瘡蓋剥離具３００は、基本的には第１実施形態に係る瘡蓋剥離具１００と同様の構成を有するが、第１実施形態で説明した２つの貫通孔１６０，１６２（図３〜図５参照。）に代えて、４つの突起３６０（図１１及び図１２参照。）が設けられている点で、第１実施形態に係る瘡蓋剥離具１００とは異なる。
【００６９】
第３実施形態に係る瘡蓋剥離具３００においては、図１１及び図１２に示すように、鍔部３５０の第二面３５２に、４つの突起３６０が設けられている。各突起３６０の形状は、略半球状である。
【００７０】
各突起３６０は、隣り合う突起３６０同士の間隔が等しくなるように配置されている。すなわち、図１２に示す方向から瘡蓋剥離具３００を見たときに、剥離部１２０を中心に９０度の配置間隔で各突起３６０が配置されている。また、各突起３６０は、スリット１４０の配置に対して４５度偏倚した位置に配置されている。
【００７１】
鍔部３５０は、基本的には第１実施形態で説明した鍔部１５０と同様の略円板状部材であるが、図３と図１２を見比べて明らかなように、２つの貫通孔１６０，１６２が設けられていない。それら貫通孔１６０，１６２の代わりとして作用するのが、嵌合部１３０に設けられたスリット１４０であって、この点について図１１及び図１３を用いて説明する。
【００７２】
第３実施形態に係る瘡蓋剥離具３００においては、図１１に示すように、高さｈの突起３６０が鍔部３５０の第二面３５２に設けられていることから、図７に示したロックキャップ５０に瘡蓋剥離具３００を嵌合させると、図１３（ａ）及び図１３（ｂ）に示すように、ロックキャップ５０の非接続面５６と瘡蓋剥離具３００の鍔部３５０との間に、幅ｗからなる隙間が生まれる。なお、この隙間の幅ｗは、突起３６０の高さｈと等しい。この隙間があることにより、図１３（ａ）に示すように、スリット１４０の一部（嵌合部１３０における鍔部３５０との境界部分）が、外部と通じることとなる。つまり、第１実施形態で説明した貫通孔１６０，１６２が形成されていなくとも、突起３６０が鍔部３５０に設けられていることにより、スリット１４０の一部が貫通孔として作用することとなり、その結果、嵌合時において嵌合部１３０と凹部６０とによって形成される空間を非密閉状態とすることが可能となる。
【００７３】
このように、第３実施形態に係る瘡蓋剥離具３００は、第１実施形態に係る瘡蓋剥離具１００とは４つの突起３６０が設けられている点で異なるが、第１実施形態に係る瘡蓋剥離具１００の場合と同様に、ロックキャップ５０の凹部６０と嵌合可能に構成された嵌合部１３０を備えているため、第１実施形態で説明した理由と同様の理由により、瘡蓋を剥がす作業を行う際にルアーコネクタの清潔性を損なうことなく、かつ、作業性に優れた瘡蓋剥離具となる。
【００７４】
第３実施形態に係る瘡蓋剥離具３００においては、上述したように、鍔部３５０には高さｈの突起３６０が設けられており、スリット１４０の一部が貫通孔として作用するように構成されているため、嵌合時において嵌合部１３０と凹部６０とによって形成される空間を非密閉状態とすることが可能となる。その結果、ロックキャップ５０と瘡蓋剥離具３００との嵌合状態を望ましい状態に維持し続けることが容易となる。
【００７５】
第３実施形態に係る瘡蓋剥離具３００は、４つの突起３６０が設けられている点以外では、第１実施形態に係る瘡蓋剥離具１００と同様の構成を有するため、第１実施形態に係る瘡蓋剥離具１００が有する効果のうち該当する効果をそのまま有する。
【００７６】
［第４実施形態］
図１４は、第４実施形態に係る瘡蓋剥離具４００の正面図である。図１５は、第４実施形態に係る瘡蓋剥離具４００の左側面図である。図１６は、図１５のＤ−Ｄ線断面図である。図１７は、ロックキャップ５０に瘡蓋剥離具４００を嵌めた状態を示す断面図である。
なお、図１４〜図１７において、図１〜図８と同一の部材については同一の符号を付し、詳細な説明は省略する。
【００７７】
第４実施形態に係る瘡蓋剥離具４００は、基本的には第１実施形態に係る瘡蓋剥離具１００と同様の構成を有するが、第１実施形態で説明した２つの貫通孔１６０，１６２（図３〜図５参照。）に代えて、４本の溝４６０（図１５参照。）が設けられている点で、第１実施形態に係る瘡蓋剥離具１００とは異なる。
【００７８】
第４実施形態に係る瘡蓋剥離具４００においては、図１４〜図１６に示すように、鍔部４５０の第二面４５２に、４本の溝４６０が設けられている。各溝４６０は、図１５に示すように、スリット１４０の位置から鍔部４５０の外側端面まで繋がっている。
【００７９】
各溝４６０は、隣り合う溝４６０同士の間隔が等しくなるように配置されている。すなわち、図１５に示す方向から瘡蓋剥離具４００を見たときに、剥離部１２０を中心に９０度の配置間隔で各溝４６０が配置されている。
【００８０】
鍔部４５０は、基本的には第１実施形態で説明した鍔部１５０と同様の略円板状部材であるが、図３と図１５を見比べて明らかなように、２つの貫通孔１６０，１６２が設けられていない。それら貫通孔１６０，１６２の代わりとして作用するのが、嵌合部１３０に設けられたスリット１４０であって、この点について図１４〜図１７を用いて説明する。
【００８１】
第４実施形態に係る瘡蓋剥離具４００においては、図１４〜図１６に示すように、溝４６０が鍔部４５０の第二面４５２に設けられていることから、図７に示したロックキャップ５０に瘡蓋剥離具４００を嵌合させると、図１７に示すように、ロックキャップ５０の非接続面５６と瘡蓋剥離具４００の鍔部４５０との間に、溝４６０による隙間が生まれる。さらに、溝４６０がスリット１４０の位置に設けられていることから、図１７から明らかなように、スリット１４０の一部（嵌合部１３０における鍔部４５０との境界部分）が、外部と通じることとなる。つまり、第１実施形態で説明した貫通孔１６０，１６２が形成されていなくとも、溝４６０が鍔部４５０に設けられていることにより、スリット１４０の一部が貫通孔として作用することとなり、その結果、嵌合時において嵌合部１３０と凹部６０とによって形成される空間を非密閉状態とすることが可能となる。
【００８２】
このように、第４実施形態に係る瘡蓋剥離具４００は、第１実施形態に係る瘡蓋剥離具１００とは４本の溝４６０が設けられている点で異なるが、第１実施形態に係る瘡蓋剥離具１００の場合と同様に、ロックキャップ５０の凹部６０と嵌合可能に構成された嵌合部１３０を備えているため、第１実施形態で説明した理由と同様の理由により、瘡蓋を剥がす作業を行う際にルアーコネクタの清潔性を損なうことなく、かつ、作業性に優れた瘡蓋剥離具となる。
【００８３】
第４実施形態に係る瘡蓋剥離具４００においては、上述したように、鍔部４５０の第二面４５２には、スリット１４０の位置から鍔部４５０の外側端面まで繋がる溝４６０が設けられており、スリット１４０の一部が貫通孔として作用するように構成されているため、嵌合時において嵌合部１３０と凹部６０とによって形成される空間を非密閉状態とすることが可能となる。その結果、ロックキャップ５０と瘡蓋剥離具４００との嵌合状態を望ましい状態に維持し続けることが容易となる。
【００８４】
第４実施形態に係る瘡蓋剥離具４００は、４本の溝４６０が設けられている点以外では、第１実施形態に係る瘡蓋剥離具１００と同様の構成を有するため、第１実施形態に係る瘡蓋剥離具１００が有する効果のうち該当する効果をそのまま有する。
【００８５】
以上、本発明の瘡蓋剥離具、瘡蓋剥離ユニット及び医療用具を上記の実施形態に基づいて説明したが、本発明は上記の実施形態に限定されるものではなく、その要旨を逸脱しない範囲において種々の態様において実施することが可能であり、例えば次のような変形も可能である。
【００８６】
（１）上記各実施形態においては、把持部として、中央部分の厚みが薄くなるように湾曲した形状からなる把持部を例示して説明したが、本発明はこれに限定されるものではなく、把持部の上面及び下面が平面形状であるなど、他の形状から構成されていてもよい。
【００８７】
（２）上記各実施形態においては、把持部の上面に設けられた識別部の形状が、平面視矢印形状である場合を例示して説明したが、本発明はこれに限定されるものではない。例えば平面視三角形状や平面視楕円形状など、他の形状であってもよい。また、識別部は、把持部の上面に対して盛り上がって設けられている場合に限定されるものではなく、例えば、把持部の上面に対して凹むように設けられていてもよい。
【００８８】
（３）上記各実施形態においては、剥離部の尖端として、略三角形の断面形状からなる尖端（図５参照。）を備える場合を例示して説明したが、本発明はこれに限定されるものではなく、例えば鉤爪状の尖端や平板状の尖端など、他の形状からなる尖端を備えていてもよい。また、上記各実施形態においては、剥離部が１つの傾斜面からなる場合を例示して説明したが、本発明はこれに限定されるものではない。例えば、マイナスドライバーの先端形状のように、２つの傾斜面が対向配置された剥離部であってもよいし、鉛筆の先端形状のように、全周にわたって傾斜面が設けられた剥離部であってもよい。
【００８９】
（４）上記各実施形態においては、嵌合部に４つのスリットが形成されている場合を例示して説明したが、本発明はこれに限定されるものではない。スリットの数は１つであってもよいし、２つ、３つ又は５つ以上であってもよい。立設部についてもスリット同様、４つである場合に限らず、スリットの数と対応する数で構成されていてもよい。
【００９０】
（５）上記各実施形態においては、スリットの形状として、剥離部の突出方向と同一方向に伸びる直線状である場合を例示して説明したが、本発明はこれに限定されるものではない。例えば、スリットの根元側（鍔部側）に向かうに従ってスリット幅が広くなる又は狭くなるような形状など、スリットが他の形状からなっていてもよい。
【００９１】
（６）上記各実施形態においては、嵌合部が薄板状の立設部で構成されている場合を例示して説明したが、本発明はこれに限定されるものではない。ロックキャップの凹部と嵌合可能であれば、嵌合部は他の形状で構成されたものであってもよい。
【００９２】
（７）上記各実施形態においては、鍔部が正円の板状部材である場合を例示して説明したが、本発明はこれに限定されるものではなく、例えば楕円や多角形など、他の形状であってもよい。
【００９３】
（８）上記第１実施形態においては、鍔部に形成された貫通孔が２つである場合を例示して説明したが、本発明はこれに限定されるものではなく、貫通孔が１つ又は３つ以上形成されていてもよい。また、貫通孔の形成されている位置についても、剥離部の上下の位置に形成されている場合に限定されるものではなく、嵌合時において嵌合部１３０と凹部６０とによって形成される空間を非密閉状態とすることが可能であれば、例えば鍔部ではなく把持部に通じる貫通孔であるなど、他の位置に形成されていてもよい。
【００９４】
（９）上記第３実施形態においては、鍔部に４つの突起が設けられている場合を例示して説明したが、本発明はこれに限定されるものではない。突起の数は増減させてもよい。また、突起の形状についても、略半球状に限定されるものではなく、例えば直方体形状など、他の形状であってもよい。
【００９５】
（１０）上記第４実施形態においては、鍔部に４本の溝が設けられている場合を例示して説明したが、本発明はこれに限定されるものではない。溝の数は、スリットの数に応じて増減させてもよい。
【００９６】
（１１）上記第３及び第４実施形態においては、スリットの一部が貫通孔として作用する場合を例示して説明したが、本発明はこれに限定されるものではない。例えば第２実施形態で説明したような短いスリットが嵌合部に設けられている場合、嵌合部における鍔部との境界部分に、立設部の外面及び内面に連通する貫通孔が設けられていれば、嵌合時において嵌合部と凹部とによって形成される空間を非密閉状態とすることが可能となる。
【００９７】
（１２）上記各実施形態においては、瘡蓋剥離具を構成する各部が、金型により一体成形されている場合を例示して説明したが、本発明はこれに限定されるものではない。例えば、瘡蓋剥離具を構成する各部を個別に作成した後、各部を接合してもよい。瘡蓋剥離具を構成する各部を個別に作成した場合、それら各部は別々の材料から構成されていてもよい。
【００９８】
（１３）上記各実施形態においては、瘡蓋剥離具の材料としてポリ塩化ビニルを用いたが、本発明はこれに限定されるものではなく、他のプラスチック材料を用いてもよい。また、材料としてはプラスチック材料に限定されず、例えば金属材料などを用いてもよい。
【００９９】
（１４）上記第１実施形態においては、ロックキャップ５０の凹部６０が３層構造（第一層６１〜第三層６３）で構成されており、このような構成からなる凹部６０に嵌合可能な嵌合部１３０を備える瘡蓋剥離具１００について説明したが、本発明はこれに限定されるものではない。嵌合部の形状が凹部の形状に適合するのであれば、他の構成又は形状からなる凹部を備えるロックキャップに対しても、本発明の瘡蓋剥離具を嵌合可能である。また、第一層の深さａ２と嵌合部の突出高さｂ２は、必ずしも同じ値でなくてもよい。さらにまた、凹部の深さａ３と剥離部の突出高さｂ３との関係について、例えば凹部の深さａ３と剥離部の突出高さｂ３とが同じ値であってもよい。
【０１００】
（１５）上記第１実施形態においては、チューブ１０、透析針２０及びルアーコネクタ３０を備える医療用具１を例示して説明したが、本発明はこれに限定されるものではなく、例えばクランプや混注部材など、他の部材を備えていてもよい。また、本発明の医療用具は、ルアーコネクタ付き透析針セットからなる医療用具に限定されるものではない。例えば、留置針の接続口に本発明の瘡蓋剥離ユニットが接続された医療用具等にも、本発明を適用できることは言うまでもない。
【符号の説明】
【０１０１】
１  医療用具
１０  チューブ
２０  透析針
２２  針キャップ
３０  ルアーコネクタ
３２  接続口
３４  被螺合部
４０  瘡蓋剥離ユニット
５０  ロックキャップ
５２  螺合部
５４  リブ
５６  被接続面
６０  凹部
６１，６２，６３  第一層〜第三層
１００，２００，３００，４００  瘡蓋剥離具
１１０  把持部
１１１  （把持部の）上面
１１２  （把持部の）下面
１１４  識別部
１２０  剥離部
１２２  尖端
１２４  傾斜面
１３０，２３０  嵌合部
１３２，２３２  立設部
１３４，２３４  テーパ部
１３６，２３６  平面部
１４０，２４０  スリット
１５０，３５０，４５０  鍔部
１５１，３５１，４５１  （鍔部の）第一面
１５２，３５２，４５２  （鍔部の）第二面
１６０，１６２  貫通孔
３６０  突起
４６０  溝
ａ１  第一層の内径
ａ２  第一層の深さ
ａ３  凹部の深さ
ｂ１  嵌合部の外径
ｂ２  嵌合部の突出高さ
ｂ３  剥離部の突出高さ
ｈ  突起の高さ
ｗ  隙間の幅
【図１】
0005890173.tif 000002
【図２】
0005890173.tif 000003
【図３】
0005890173.tif 000004
【図４】
0005890173.tif 000005
【図５】
0005890173.tif 000006
【図６】
0005890173.tif 000007
【図７】
0005890173.tif 000008
【図８】
0005890173.tif 000009
【図９】
0005890173.tif 000010
【図１０】
0005890173.tif 000011
【図１１】
0005890173.tif 000012
【図１２】
0005890173.tif 000013
【図１３】
0005890173.tif 000014
【図１４】
0005890173.tif 000015
【図１５】
0005890173.tif 000016
【図１６】
0005890173.tif 000017
【図１７】
0005890173.tif 000018